(57)【特許請求の範囲】
【請求項１】
第1の伝送時間間隔(TTI)の間のダウンリンクデータチャネル上で第1のデータを送信するステップと、
前記第1のTTIよりも持続時間が短い第2のTTIの間のダウンリンク制御チャネル上で制御情報を送信するステップであって、前記制御情報が、前記第1のTTIの間の前記ダウンリンクデータチャネル上で受信された前記第1のデータ用の時間周波数リソースの認可を修正するように構成された認可修正を含み、前記第2のTTIが、前記第1のTTIの一部分と重複する、ステップと
を含む、ワイヤレス通信用に構成された装置におけるワイヤレス通信の方法。
【請求項２】
前記第2のTTIの持続時間を有するTTIを利用して前記ダウンリンクデータチャネル上で第2のデータを送信するステップをさらに含む、請求項1に記載の方法。
【請求項３】
前記ダウンリンク制御チャネル上で制御情報を前記送信するステップ、および前記ダウンリンクデータチャネル上で第2のデータを前記送信するステップが同時に実行される、請求項2に記載の方法。
【請求項４】
前記ダウンリンク制御チャネル上の前記制御情報に従って、前記第2のデータにより前記第1のデータをパンクチャリングすることによって、前記ダウンリンクデータチャネル上で前記第2のデータを前記第1のデータと直交多重化するステップをさらに含む、請求項2に記載の方法。
【請求項５】
前記パンクチャリングに対応する失われたダウンリンクリソースの責任を負うために前記第1のデータを修正するステップをさらに含む、請求項4に記載の方法。
【請求項６】
前記第1のデータおよび前記第2のデータを同時に送信することによって、前記ダウンリンクデータチャネル上で前記第2のデータを前記第1のデータと非直交多重化するステップをさらに含む、請求項2に記載の方法。
【請求項７】
ダウンリンク割当てチャネル上でリソース割当てを送信するステップであって、前記リソース割当てが、前記第1のデータに対応する時間周波数リソースの前記認可を含む、ステップ
をさらに含む、請求項1に記載の方法。
【請求項８】
前記ダウンリンクデータチャネルが、前記ダウンリンク制御チャネルと周波数が分離されている、請求項1に記載の方法。
【請求項９】
第1の伝送時間間隔(TTI)の間のアップリンクデータチャネル上で第1のデータを受信するステップと、
アップリンクフィードバックチャネル上でスケジューリング要求を受信するステップであって、前記スケジューリング要求が、第2のデータ用の時間周波数リソースの認可を要求するように構成される、ステップと、
前記第1のTTIよりも持続時間が短い第2のTTIの間のダウンリンク制御チャネル上で制御情報を送信するステップであって、前記制御情報が、前記第2のTTIの間の前記アップリンクデータチャネル上の前記第2のデータに対応する時間周波数リソースに対する第2のデータ認可を含み、前記第2のTTIが、前記第1のTTIの一部分と重複する、ステップと、
前記第1のTTIよりも持続時間が短い第3のTTIの間の前記アップリンクデータチャネル上で前記第2のデータを受信するステップと
を含む、ワイヤレス通信用に構成された装置におけるワイヤレス通信の方法。
【請求項１０】
ダウンリンク割当てチャネル上でリソース割当てを送信するステップであって、前記リソース割当てが、前記第1のデータに対応する前記アップリンクデータチャネル上の時間周波数リソースに対する第1のデータ認可を含む、ステップと、
前記第2のTTIの持続時間を有するTTIを利用してアップリンク認可修正を送信するステップであって、前記アップリンク認可修正が、前記第1のデータ認可が修正されたことを少なくとも1つのユーザ機器(UE)に通知し、前記第2のデータのタイミングに従って前記第1のデータの送信をパンクチャリングするように前記少なくとも1つのUEに命令する情報を含む、ステップと
をさらに含む、請求項9に記載の方法。
【請求項１１】
前記アップリンク認可修正を前記送信するステップ、および前記ダウンリンク制御チャネル上で前記制御情報を前記送信するステップが同時に実行される、請求項10に記載の方法。
【請求項１２】
前記アップリンク認可修正を前記送信するステップが、前記ダウンリンク制御チャネル上で前記アップリンク認可修正を送信するステップを含む、請求項10に記載の方法。
【請求項１３】
前記アップリンクフィードバックチャネル、前記アップリンクデータチャネル、および前記ダウンリンク制御チャネルが、互いに周波数が分離されている、請求項9に記載の方法。
【請求項１４】
第1の伝送時間間隔(TTI)の間のダウンリンクデータチャネル上で第1のデータを送信するための手段と、
前記第1のTTIよりも持続時間が短い第2のTTIの間のダウンリンク制御チャネル上で制御情報を送信するための手段であって、前記制御情報が、前記第1のTTIの間の前記ダウンリンクデータチャネル上で受信された前記第1のデータ用の時間周波数リソースの認可の割振りを修正するように構成された認可修正を含み、前記第2のTTIが、前記第1のTTIの一部分と重複する、手段と
を備える、ワイヤレス通信用に構成された装置。
【請求項１５】
第1の伝送時間間隔(TTI)の間のアップリンクデータチャネル上で第1のデータを受信するための手段と、
アップリンクフィードバックチャネル上でスケジューリング要求を受信するための手段であって、前記スケジューリング要求が、第2のデータ用の時間周波数リソースの認可を要求するように構成される、手段と、
前記第1のTTIよりも持続時間が短い第2のTTIの間のダウンリンク制御チャネル上で制御情報を送信するための手段であって、前記制御情報が、前記第2のTTIの間の前記アップリンクデータチャネル上の前記第2のデータに対応する時間周波数リソースに対する第2のデータ認可を含み、前記第2のTTIが、前記第1のTTIの一部分と重複する、手段と、
前記第1のTTIよりも持続時間が短い第3のTTIの間の前記アップリンクデータチャネル上で前記第2のデータを受信するための手段と
を備える、ワイヤレス通信用に構成された装置。
【請求項１６】
コンピュータによって実行されると、コンピュータに、
第1の伝送時間間隔(TTI)の間のダウンリンクデータチャネル上で第1のデータを送信することと、
前記第1のTTIよりも持続時間が短い第2のTTIの間のダウンリンク制御チャネル上で制御情報を送信することであって、前記制御情報が、前記第1のTTIの間の前記ダウンリンクデータチャネル上で受信された前記第1のデータ用の時間周波数リソースの認可を修正するように構成された認可修正を含み、前記第2のTTIが、前記第1のTTIの一部分と重複する、ことと
を行わせる命令を備える、コンピュータ実行可能コードを備えるコンピュータ可読記憶媒体。
【請求項１７】
コンピュータによって実行されると、コンピュータに、
第1の伝送時間間隔(TTI)の間のアップリンクデータチャネル上で第1のデータを受信することと、
アップリンクフィードバックチャネル上でスケジューリング要求を受信することであって、前記スケジューリング要求が、第2のデータ用の時間周波数リソースの認可を要求するように構成される、ことと、
前記第1のTTIよりも持続時間が短い第2のTTIの間のダウンリンク制御チャネル上で制御情報を送信することであって、前記制御情報が、前記第2のTTIの間の前記アップリンクデータチャネル上の前記第2のデータに対応する時間周波数リソースに対する第2のデータ認可を含み、前記第2のTTIが、前記第1のTTIの一部分と重複する、ことと、
前記第1のTTIよりも持続時間が短い第3のTTIの間の前記アップリンクデータチャネル上で前記第2のデータを受信することと
を行わせる命令を備える、コンピュータ実行可能コードを備えるコンピュータ可読記憶媒体。
【請求項１８】
第1の伝送時間間隔(TTI)の間のダウンリンクデータチャネル上で第1のデータを受信するステップと、
前記第1のTTIよりも持続時間が短い第2のTTIの間のダウンリンク制御チャネル上で制御情報を受信するステップであって、前記制御情報が、前記第1のTTIの間の前記ダウンリンクデータチャネル上で受信された前記第1のデータ用の時間周波数リソースの認可を修正するように構成された認可修正を含み、前記第2のTTIが、前記第1のTTIの一部分と重複する、ステップと
を含む、ユーザ機器(UE)におけるワイヤレス通信の方法。
【請求項１９】
第1の伝送時間間隔(TTI)の間のアップリンクデータチャネル上で第1のデータを送信するステップと、
アップリンクフィードバックチャネル上でスケジューリング要求を送信するステップであって、前記スケジューリング要求が、第2のデータ用の時間周波数リソースの認可を要求するように構成される、ステップと、
前記第1のTTIよりも持続時間が短い第2のTTIの間のダウンリンク制御チャネル上で制御情報を受信するステップであって、前記制御情報が、前記第2のTTIの間の前記アップリンクデータチャネル上の前記第2のデータに対応する時間周波数リソースに対する第2のデータ認可を含み、前記第2のTTIが、前記第1のTTIの一部分と重複する、ステップと、
前記第1のTTIよりも持続時間が短い第3のTTIの間の前記アップリンクデータチャネル上で前記第2のデータを送信するステップと
を含む、ユーザ機器(UE)におけるワイヤレス通信の方法。
【請求項２０】
第1の伝送時間間隔(TTI)の間のダウンリンクデータチャネル上で第1のデータを受信するための手段と、
前記第1のTTIよりも持続時間が短い第2のTTIの間のダウンリンク制御チャネル上で制御情報を受信するための手段であって、前記制御情報が、前記第1のTTIの間の前記ダウンリンクデータチャネル上で受信された前記第1のデータ用の時間周波数リソースの認可を修正するように構成された認可修正を含み、前記第2のTTIが、前記第1のTTIの一部分と重複する、手段と
を備える、ワイヤレス通信用に構成されたユーザ機器。
【請求項２１】
第1の伝送時間間隔(TTI)の間のアップリンクデータチャネル上で第1のデータを送信するための手段と、
アップリンクフィードバックチャネル上でスケジューリング要求を送信するための手段であって、前記スケジューリング要求が、第2のデータ用の時間周波数リソースの認可を要求するように構成される、手段と、
前記第1のTTIよりも持続時間が短い第2のTTIの間のダウンリンク制御チャネル上で制御情報を受信するための手段であって、前記制御情報が、前記第2のTTIの間の前記アップリンクデータチャネル上の前記第2のデータに対応する時間周波数リソースに対する第2のデータ認可を含み、前記第2のTTIが、前記第1のTTIの一部分と重複する、手段と、
前記第1のTTIよりも持続時間が短い第3のTTIの間の前記アップリンクデータチャネル上で前記第2のデータを送信するための手段と
を備える、ワイヤレス通信用に構成されたユーザ機器。
【発明の詳細な説明】
【技術分野】
【０００１】
優先権主張
本出願は、それらの内容全体が参照によって本明細書に組み込まれる、2014年5月19日に米国特許商標庁に出願された「Apparatus and Method for Synchronous Multiplexing and Multiple Access for Different Latency Targets Utilizing Thin Control」と題する仮特許出願第62/000,443号、および2014年11月5日に米国特許商標庁に出願された「Apparatus and Method for Synchronous Multiplexing and Multiple Access for Different Latency Targets Utilizing Thin Control」と題する非仮特許出願第14/533,923号の優先権および利益を主張する。
【０００２】
本開示の態様は、一般にワイヤレス通信システムに関し、より詳細には、薄型軽量制御(thin control)チャネルを利用する様々なレイテンシ目標のための同期多重化および多重アクセスに関する。
【背景技術】
【０００３】
ワイヤレス通信ネットワークは、電話、ビデオ、データ、メッセージング、ブロードキャストなどの様々な通信サービスを提供するために広く展開されている。通常、多元接続ネットワークであるそのようなネットワークは、利用可能なネットワークリソースを共有することによって複数のユーザのための通信をサポートする。
【０００４】
そのようなワイヤレスネットワーク内では、音声、ビデオ、および電子メールを含む様々なデータサービスを提供することができる。より最近では、ワイヤレス通信ネットワークは、リアルタイムのフィードバックが必要である、遠隔手術などのミッションクリティカルな適用例および遠隔制御の適用例を含む、さらに広範囲なサービスのために利用されている。そのような適用例では、適切に高いサービス品質を有効にするためにレイテンシが非常に低いことが重要である。すなわち、情報が通信デバイスから送信されるための時間、および通信デバイスに戻される応答は、ミリ秒程度の極めて高速である必要があり得る。
【０００５】
モバイルブロードバンドアクセスに対する需要が増大し続けるにつれて、モバイルブロードバンドアクセスに対する高まる需要を満たすだけでなく、ユーザ体験を進化および向上させるために、研究開発はワイヤレス通信技術を進化させ続けている。
【発明の概要】
【課題を解決するための手段】
【０００６】
以下では、本開示の1つまたは複数の態様の基本的な理解を提供するために、そのような態様の簡略化された概要を提示している。この概要は、本開示のすべての企図された特徴の包括的な概要ではなく、本開示のすべての態様の主要または重要な要素を識別するものでもなく、本開示のいずれかまたはすべての態様の範囲を定めるものでもない。その唯一の目的は、後で提示されるより詳細な説明の前置きとして、簡略化された形態で本開示の1つまたは複数の態様のいくつかの概念を提示することである。
【０００７】
本開示の1つまたは複数の態様は、薄型軽量制御チャネル構造を提供する。薄型軽量制御チャネルは、2つ以上のデータ伝送フォーマットの多重化を有効にするために利用することができる。たとえば、薄型軽量制御チャネルは、第1の比較的長い伝送時間間隔(TTI)を利用する進行中の伝送がパンクチャリングされることを有効にする情報を搬送することができ、長いTTI(ロングTTI)のパンクチャリングされた部分の期間に、第2の比較的短いTTIを利用する伝送を挿入することができる。第1の(パンクチャリングされた)伝送と第2の(パンクチャリングする)伝送との間の他の違いも有効にすることができ、たとえば、シンボルの持続時間もしくはフォーマットにおける違い、またはトラフィックの異なる優先順位を含む。このパンクチャリングリングは、発生しているか、または発生するパンクチャリングリングを受信デバイスに知らせるスケジューリング情報、認可などを制御チャネルが搬送することができる、薄型軽量制御チャネル構造に基づいて有効にされる。さらに、薄型軽量制御チャネルは、パンクチャリングリング情報に限定されずに、他の制御情報を搬送するために利用することができる。
【０００８】
一態様では、本開示は、薄型軽量制御を利用する様々なレイテンシ目標のための同期多重化および多重アクセスのためのアルゴリズムを利用してワイヤレス通信を実装するための、方法、装置、およびコードを有するコンピュータ可読媒体を提供する。ここで、スケジューリングエンティティは、第1の伝送時間間隔(TTI)を利用してダウンリンクデータチャネル上で第1のユーザデータを送信することができ、さらに第1のユーザデータの送信中に、第1のTTIよりも持続時間が短い第2のTTIを利用してダウンリンク制御チャネル上で制御情報を送信することができる。制御情報は、ダウンリンクデータチャネルの処理を修正するように構成される場合がある。
【０００９】
本開示の別の態様は、薄型軽量制御を利用する様々なレイテンシ目標のための同期多重化および多重アクセスのためのアルゴリズムを利用してワイヤレス通信を実装するための、方法、装置、およびコードを有するコンピュータ可読媒体を提供する。ここで、スケジューリングエンティティは、第1のTTIを利用してアップリンクデータチャネル上で第1のユーザデータを受信することができる。スケジューリングエンティティはさらに、アップリンクフィードバックチャネル上でスケジューリング要求を受信することができ、スケジューリング要求は、第2のユーザデータ用の時間周波数リソースの認可を要求するように構成される。スケジューリングエンティティはさらに、アップリンクデータチャネル上での第1のユーザデータの受信中に、第1のTTIよりも持続時間が短い第2のTTIを利用して、ダウンリンク制御チャネル上で制御情報を送信することができる。制御情報は、第2のTTIを利用するアップリンクデータチャネル上の第2のユーザデータに対応する時間周波数リソースに対する第2のユーザデータ認可を含む場合がある。スケジューリングエンティティはさらに、第2のTTIを利用してアップリンクデータチャネル上で第2のユーザデータを受信することができる。
【００１０】
本発明のこれらおよび他の態様は、以下の発明を実施するための形態を検討すると、より十分に理解されるであろう。添付図面とともに本発明の特定の例示的な実施形態の以下の説明を検討すると、本発明の他の態様、特徴、および実施形態が当業者に明らかになろう。本発明の特徴は、下記のいくつかの実施形態および図に対して説明され得るが、本発明のすべての実施形態は、本明細書で説明される有利な特徴のうちの1つまたは複数を含むことができる。言い換えれば、1つまたは複数の実施形態は、いくつかの有利な特徴を有するものとして説明され得るが、そのような特徴のうちの1つまたは複数は、本明細書で説明される本発明の様々な実施形態に従って使用することもできる。同様に、例示的な実施形態はデバイス、システム、または方法の実施形態として下記で説明され得るが、そのような例示的な実施形態は、様々なデバイス、システム、および方法において実装できることを理解されたい。
【図面の簡単な説明】
【００１１】
【図１】いくつかの実施形態による、ワイヤレス通信システム内のエンドツーエンドレイテンシの構成要素を示す概略タイミング図である。
【図２】いくつかの実施形態による、スケジューリングエンティティが1つまたは複数の下位エンティティと通信している一例を概念的に示すブロック図である。
【図３】いくつかの実施形態による、スケジューリングエンティティが処理システムを使用するためのハードウェア実装形態の一例を示すブロック図である。
【図４】いくつかの実施形態による、下位エンティティが処理システムを使用するためのハードウェア実装形態の一例を示すブロック図である。
【図５】いくつかの実施形態による、薄型軽量制御チャネルを含むダウンリンク伝送用の同期多重アクセスチャネル構造の一例を示す概略図である。
【図６】いくつかの実施形態による、薄型軽量制御チャネルを利用するダウンリンク/ダウンリンク多重化を示す概略図である。
【図７】いくつかの実施形態による、薄型軽量制御チャネルを利用する様々な伝送時間間隔(TTI)のダウンリンク通信を多重化する一例を示すコールフロー図である。
【図８】いくつかの実施形態による、スケジューリングエンティティの観点から薄型軽量制御チャネルを利用する様々なTTIのダウンリンク通信を多重化する一例を示すフローチャートである。
【図９】いくつかの実施形態による、薄型軽量制御チャネルを含むアップリンク伝送用の同期多重アクセスチャネル構造の一例を示す概略図である。
【図１０】いくつかの実施形態による、薄型軽量制御チャネルを利用するアップリンク/アップリンク多重化を示す概略図である。
【図１１】いくつかの実施形態による、薄型軽量制御チャネルを利用する様々なTTIのアップリンク通信を多重化する一例を示すコールフロー図である。
【図１２】いくつかの実施形態による、スケジューリングエンティティの観点から薄型軽量制御チャネルを利用する様々なTTIのアップリンク通信を多重化する一例を示すフローチャートである。
【図１３】いくつかの実施形態による、薄型軽量制御チャネルを利用する干渉管理の一例を示すフローチャートである。
【発明を実施するための形態】
【００１２】
添付の図面に関して下記に記載される発明を実施するための形態は、様々な構成の説明として意図されており、本明細書に記載される概念を実践することができる唯一の構成を表すように意図されていない。発明を実施するための形態は、様々な概念の完全な理解を与えるための具体的な詳細を含む。しかしながら、これらの概念がこれらの具体的な詳細なしに実践される場合があることは当業者に明らかであろう。場合によっては、そのような概念を曖昧にすることを回避するために、よく知られている構造および構成要素がブロック図の形態で示される。
【００１３】
本開示全体にわたって提示される様々な概念は、多種多様な電気通信システム、ネットワークアーキテクチャ、および通信規格にわたって実装することができる。たとえば、第3世代パートナーシッププロジェクト(3GPP)は、しばしばロングタームエボリューション(LTE)ネットワークと呼ばれる発展型パケットシステム(EPS)を含むネットワークのためのいくつかのワイヤレス通信規格を定義する標準化団体である。LTEネットワークは、50ms程度の送信デバイスと受信デバイスとの間のエンドツーエンドレイテンシを提供することができ、特定のパケット用のオーバージエアレイテンシは10msの範囲である。現在知られているLTE機能は、1msの伝送時間間隔(TTI)を使用して、少なくとも約8msのいくつかのフィードバックシグナリング(すなわち、ハイブリッド自動再送要求(HARQ)シグナリング)用のラウンドトリップ時間(RTT)を提供する。ここで、TTIは、単独で復号され得る情報単位についての最小持続時間に対応することができる。時分割複信(TDD)のLTE構成の場合、アップリンク/ダウンリンクレイテンシは、変化するのにおおよそ10ms掛かる、比較的固定された構成を有する。一般に、LTEは、すべてのサービスおよびパケットがこれらの同じレイテンシ範囲に依存するフリーサイズ手法を提供する。
【００１４】
第5世代(5G)ネットワークなどのLTEネットワークの発展バージョンは、限定はしないが、ウェブブラウジング、ビデオストリーミング、VoIP、ミッションクリティカルアプリケーション、マルチホップネットワーク、リアルタイムフィードバックを伴う遠隔操作(たとえば、遠隔手術)などを含む、多くの様々なタイプのサービスまたはアプリケーションを提供することができる。ここで、これらの様々なセットのサービスは、互いに大幅に異なる複数のレイテンシ目標を有することに強みがあり得る。しかしながら、上述されたLTEネットワークのフリーサイズ態様は、様々なレイテンシ目標を有するトラフィックの多重化を非常に困難にする可能性がある。
【００１５】
そのような多様なレイテンシ目標をサポートするシステムのスペクトル互換性は、労力を伴い得る。たとえば、通常の/低いレイテンシのトラフィックの時間多重化は、低いレイテンシのパケットの要件に反する可能性がある。さらに、低いレイテンシのトラフィック用に確保された周波数領域リソースは、最大速度およびトランキング効率を制限することになる。したがって、次世代ネットワークのために、大幅に異なるレイテンシ特性を有するトラフィックおよびサービスを多重化する能力をサポートする新しい方法が必要である。
【００１６】
本開示のいくつかの態様によれば、ある特定の薄型軽量制御チャネルを利用することによって、様々なレイテンシ目標を有する様々な種類のサービスおよびトラフィックの同期多重化を有効にするチャネル構造を提供する、装置、方法、およびコンピュータ命令が開示される。この薄型軽量制御チャネルは、高速シグナリングを提供して、長短の伝送時間間隔を有するデータの多重化を有効にすることができる。
【００１７】
次に図1を参照すると、本開示のいくつかの態様に対応することができるワイヤレス通信システムの一例において、全エンドツーエンドレイテンシの様々な構成要素の内訳を示すために、概略タイミング図が(正確な縮尺ではなく)示される。この例では、名目のエンドツーエンドレイテンシ102が示され、ワイヤレス通信デバイス上のアプリケーションの使用に対応するユーザの入力と、アプリケーションに適用されている応答との間の時間を表す。
【００１８】
ユーザ入力に基づいて、アプリケーションの処理104に関連付けられたいくらかの時間が存在する場合があり、エアインターフェースに関連付けられたさらなる時間遅延106が続く。図では、全レイテンシのこのエアインターフェース部分は、エアインターフェース時間を示すためにさらに分解される。ここで、上位レイヤの処理、送信機のベースバンド処理、およびワイヤレス通信デバイスからのフレームの物理レイヤ伝送に関連付けられた時間は、エアインターフェース遅延106のユーザ部分を表す。1〜5μsの範囲であり得る、送信ノードから受信ノードへの伝搬遅延の後、受信ノードは物理レイヤフレームを受信し、それ自体の受信機のベースバンド処理および上位レイヤの処理を実行する。これは、エアインターフェース遅延106の受信ノード部分を表す。
【００１９】
レイテンシのエアインターフェース構成要素の後、受信ノードは、30kmの範囲の伝送の場合100μsの範囲であり得る、関連するバックホール伝搬遅延108を伴い、適切なバックホール接続を介して対応するデータを送る。多くの場合、これは楽観的な予測であり得るし、バックホール伝搬距離は、実際には数百キロメートルであり得るし、対応的に長いレイテンシをもたらす。「クラウド」伝搬遅延110は、必要な処理および搬送時間に応じて様々な時間量を取る場合があるレイテンシの期間を伴う、任意の適切なコアネットワーク処理を表す。いくつかの例では、エンドツーエンドレイテンシのクラウド部分は、数百μsであり得る。次いで処理が反転され、基地局または他のノードへの適切なバックホールネットワーク112をわたり、受信デバイスに戻るエアインターフェース114上で伝搬し、アプリケーションの処理116が続く。この時点で、受信デバイスにおいて応答が適用され、全エンドツーエンドレイテンシ102がもたらされる。
【００２０】
5Gネットワークなどの高度ネットワークトポロジーの場合、そのようなエンドツーエンドレイテンシ102は概略的に1ms程度であることが望ましい場合がある。この目標を満たすために、レイテンシのエアインターフェース部分106および114は、各々100μsの範囲であるべきである。このレイテンシを説明するために、pingパケットの伝送および処理に対応する一例を考える。pingパケットは、32バイトの情報を含む一種の制御パケットであり得る。このパケットが5つの256ビットフレーム上で(符号化後)送信された場合、20μsのエアインターフェースレイテンシを達成するために、12Mbps(256ビット/20μs)のデータレートを有するリンクが必要とされる。同様に、1500バイト(12kb)の例示的な長さを有する(IPパケットなどの)データパケットについて、100μsのエアインターフェースレイテンシが望ましい場合、120Mbps(12kb/100μs)のデータレートを有するリンクが必要とされる。
【００２１】
この大きさのデータレートを有効にするために、ワイヤレス通信ネットワーク用の高度制御機構が必要とされる。さらに、多くの高速アプリケーションの場合、低減された全レイテンシが望ましい。いくつかのアプリケーションにおいて低減されたレイテンシを提供するために、低減された伝送時間間隔(TTI)が望ましい場合がある。
【００２２】
上記で示されたように、本開示の1つまたは複数の態様は、それらの各々が様々な効率、レイテンシ、および/または信頼性の要件のために最適化され得る、様々な異なるチャネルおよび波形の多重化を有効にするチャネル構造を提供する。たとえば、本開示の様々な態様は、同期(たとえば、スケジューリングエンティティにより様々な通信ノードの中で管理および制御されるチャネルタイミングを有する時間同期)および/または直交(たとえば、通信ノードが実質的に互いに干渉しない方法で同じリソースを供給する)しているチャネル構造を記述する。
【００２３】
次に図2を参照すると、ブロック図は、下記でさらに詳細に記載される、薄型軽量制御チャネル208/212および薄型軽量フィードバックチャネル214を利用するワイヤレス通信に関与する、スケジューリングエンティティ202および複数の下位エンティティ204を示す。当然、図2に示されたチャネルは、必ずしも、スケジューリングエンティティ202と下位エンティティ204との間で利用され得るチャネルのすべてであるとは限らず、他の制御チャネルおよびフィードバックチャネルなどの他のチャネルが図示されたチャネルに加えて利用され得ることを、当業者なら認識されよう。図2に示されたように、スケジューリングエンティティ202は、1つまたは複数の下位エンティティ204にダウンリンクデータ206をブロードキャストすることができる。本開示の態様によれば、ダウンリンクという用語は、スケジューリングエンティティ202において発信されるポイントツーマルチポイント伝送を指し得る。大まかに、スケジューリングエンティティ202は、ダウンリンク伝送、およびいくつかの例では、1つまたは複数の下位エンティティからスケジューリングエンティティ202へのアップリンクデータ210を含む、ワイヤレス通信ネットワーク内のトラフィックをスケジューリングすることを担当するノードまたはデバイスである。(方式を記述する別の方法は、ブロードキャストチャネル多重化という用語を使用することであり得る。)本開示の態様によれば、アップリンクという用語は、下位エンティティ204において発信されるポイントツーポイント伝送を指し得る。大まかに、下位エンティティ204は、限定はしないが、スケジューリング認可(scheduling grant)、同期情報もしくはタイミング情報、またはスケジューリングエンティティ202などのワイヤレス通信ネットワーク内の別のエンティティからの他の制御情報を含む、スケジューリング制御情報を受信するノードまたはデバイスである。
【００２４】
本開示のさらなる態様では、スケジューリングエンティティ202は、1つまたは複数の下位エンティティ204に薄型軽量制御チャネル208および/または212をブロードキャストすることができる。本明細書において下記に記載されるように、薄型軽量制御チャネル208/212を使用すると、第1の長い伝送時間間隔(TTI)を使用して送信されるアップリンクデータおよび/またはダウンリンクデータの、他のデータ(たとえば、低レイテンシ(LoLat)パケット)による修正/パンクチャリングリングが有効になり得る。ここで、TTIは、単独で復号されることが可能な情報のカプセル化されたセットまたはパケット、すなわち情報の最も短い復号可能伝送に対応することができる。様々な例では、TTIは、フレーム、データブロック、時間スロット、または伝送用ビットの他の適切なグループ化に対応することができる。
【００２５】
以下の説明では、説明しやすいように、多重化されたデータがロングTTIを使用するレイテンシ耐性データ、および(ショートTTI)を使用する低レイテンシ(LoLat)データを含むと仮定する。しかしながら、これは、本明細書で開示される薄型軽量制御チャネルを利用して有効にされ得る、様々なタイプまたはカテゴリのデータの多重化の一例にすぎない。すなわち、本明細書で開示される薄型軽量制御チャネルは、ダウンリンクデータに対する多くの比較的高速な修正に利用され得ることを当業者なら理解されよう。
【００２６】
さらに、下位エンティティ204は、スケジューリングエンティティ202に薄型軽量フィードバックチャネル214を送信することができる。薄型軽量フィードバックチャネル214は、いくつかの例では、第2のショートTTIを利用するLoLatパケットで第1のロングTTIを修正/パンクチャリングすることのスケジューリングエンティティに対する要求を含む場合がある。ここで、薄型軽量フィードバックチャネル214上で送信された要求に応答して、スケジューリングエンティティ202は、薄型軽量制御チャネル212内で、第2のショートTTIを利用するLoLatパケットによる長い第1のTTIの修正/パンクチャリングリングをスケジュールすることができる情報を送信することができる。さらなる例では、薄型軽量フィードバックチャネル214は、下位エンティティ204において遭遇した干渉についての情報を含む場合があり、スケジューリングエンティティ202は、それを動的に利用して、さらにダウンリンク伝送を干渉に対してより強固にすることができる方法でダウンリンク伝送を修正することができる。
【００２７】
図3は、例示的なスケジューリングエンティティ202が処理システム314を使用するためのハードウェア実装形態の一例を示す概念図である。本開示の様々な態様によれば、要素、または要素の任意の部分、または要素の任意の組合せは、1つまたは複数のプロセッサ304を含む処理システム314を用いて実装することができる。
【００２８】
本開示の様々な態様では、スケジューリングエンティティ202は、任意の適切な無線トランシーバ装置であり得るし、いくつかの例では、基地局(BS)、トランシーバ基地局(BTS)、無線基地局、無線トランシーバ、トランシーバ機能、基本サービスセット(BSS)、拡張サービスセット(ESS)、アクセスポイント(AP)、ノードB、eノードB(eNB)、メッシュノード、リレー、または他の何らかの適切な用語によって具現化することができる。基地局は、任意の数のユーザ機器(UE)に、コアネットワークへのワイヤレスアクセスポイントを提供することができる。
【００２９】
他の例では、スケジューリングエンティティ202は、ワイヤレスUEによって具現化することができる。UEの例には、携帯電話、スマートフォン、セッション開始プロトコル(SIP)電話、ラップトップ、ノートブック、ネットブック、スマートブック、携帯情報端末(PDA)、衛星ラジオ、全地球測位システム(GPS)デバイス、マルチメディアデバイス、ビデオデバイス、デジタルオーディオプレーヤ(たとえば、MP3プレーヤ)、カメラ、ゲームコンソール、エンターテインメントデバイス、自動車コンポーネント、ウェアラブルコンピューティングデバイス(たとえば、スマートウォッチ、ヘルスもしくはフィットネストラッカなど)、アプライアンス、センサ、自動販売機、または任意の他の同様の機能デバイスが含まれる。UEは、当業者により、移動局(MS)、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末(AT)、モバイル端末、ワイヤレス端末、リモート端末、ハンドセット、端末、ユーザエージェント、モバイルクライアント、クライアント、または他の何らかの適切な用語で呼ばれる場合もある。
【００３０】
プロセッサ304の例には、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、ディスクリートハードウェア回路、および本開示全体にわたって記載される様々な機能を実行するように構成された他の適切なハードウェアが含まれる。すなわち、プロセッサ304は、スケジューリングエンティティ202内で利用されるように、下記に記載され、図7、図8、図11、図12、および/または図13に示されるプロセスのうちのいずれか1つまたは複数を実施するために使用することができる。
【００３１】
この例では、処理システム314は、バス302によって全体的に表されるバスアーキテクチャを用いて実装することができる。バス302は、処理システム314の特定の用途および全体的な設計制約に応じて、任意の数の相互接続するバスおよびブリッジを含む場合がある。バス302は、(プロセッサ304によって全体的に表される)1つまたは複数のプロセッサ、メモリ305、および(コンピュータ可読媒体306によって全体的に表される)コンピュータ可読媒体を含む、様々な回路を互いにリンクさせる。バス302は、タイミングソース、周辺機器、電圧レギュレータ、および電力管理回路などの様々な他の回路をリンクさせることもできるが、これらの回路は当技術分野でよく知られており、したがって、これ以上は記載されない。バスインターフェース308は、バス302とトランシーバ310との間のインターフェースを提供する。トランシーバ310は、伝送媒体を介して様々な他の装置と通信するための手段を提供する。装置の性質に応じて、ユーザインターフェース312(たとえば、キーパッド、ディスプレイ、スピーカ、マイクロフォン、ジョイスティック)が設けられる場合もある。
【００３２】
本開示のいくつかの態様では、プロセッサ304は、時間周波数リソースのリソース割当てまたは認可を生成、スケジュール、および修正するように構成された、リソース割当ておよびTTI制御回路341を含む場合がある。リソース割当ておよびTTI制御回路341はさらに、アップリンク伝送およびダウンリンク伝送に利用するためにTTIを決定する、たとえば、データ伝送が第1のロングTTIを使用するべきか、第2のショートTTIを利用するべきかを決定するように構成される場合がある。リソース割当ておよびTTI制御回路341は、リソース割当ておよびTTI制御ソフトウェア351と協調して動作することができる。プロセッサ304は、限定はしないが、薄型軽量制御チャネル、薄型軽量フィードバックチャネル、および割当てチャネルを含む、アップリンクデータおよびダウンリンクデータおよび制御チャネル、ならびにアップリンクフィードバックチャネルおよびダウンリンク制御チャネルを生成および送信するように構成された、データおよび制御チャネル生成および送信回路342をさらに含む場合がある。データおよび制御チャネル生成および送信回路342は、データおよび制御チャネル生成および送信ソフトウェア352と協調して動作することができる。プロセッサ304は、アップリンクフィードバックチャネル上でスケジューリング要求を受信するように構成された、薄型軽量フィードバック受信および処理回路343をさらに含む場合があり、スケジューリング要求は、アップリンクユーザデータ伝送用の時間周波数リソースの認可を要求するように構成される。いくつかの例では、薄型軽量フィードバック受信および処理回路343はさらに、限定はしないが、チャネル品質インジケータ(CQI)を含む干渉メトリクスを受信および処理するように構成される場合がある。薄型軽量フィードバック受信および処理回路343は、薄型軽量フィードバック受信および処理ソフトウェア353と協調して動作することができる。プロセッサ304は、1つまたは複数の下位エンティティからアップリンクデータチャネル上でユーザデータを受信および処理するように構成された、データチャネル受信および処理回路344をさらに含む場合がある。データチャネル受信および処理回路344は、データチャネル受信および処理ソフトウェア354と協調して動作することができる。プロセッサ304は、1つまたは複数の下位エンティティとのアップリンク通信および/またはダウンリンク通信を妨げる干渉を検出するために構成された、干渉検出回路345をさらに含む場合がある。干渉検出回路345は、干渉検出ソフトウェア355と協調して動作することができる。プロセッサ304は、チャネル品質インジケータ(CQI)、干渉に関係する持続性情報、干渉の周波数、干渉の電力、または干渉に対応する空間情報のうちの1つまたは複数を生成するように構成された、干渉メトリック/チャネル品質インジケータ決定および送信回路346をさらに含む場合がある。干渉メトリック/CQI決定および送信回路346は、干渉メトリック/CQI決定および送信ソフトウェア356と協調して動作することができる。プロセッサ304は、ダウンリンク伝送に利用する変調およびコーディング方式(MCS)、ならびに/または、下位エンティティがアップリンク伝送に利用するMCSを決定するために構成された、変調およびコーディング構成回路347をさらに含��場合がある。変調およびコーディング構成回路347は、変調およびコーディング構成ソフトウェア357と協調して動作することができる。
【００３３】
プロセッサ304は、バス302を管理すること、およびコンピュータ可読媒体306上に記憶されたソフトウェアの実行を含む全般的な処理を担当する。ソフトウェアは、プロセッサ304によって実行されると、任意の特定の装置について下記に記載される様々な機能を処理システム314に実行させる。コンピュータ可読媒体306は、ソフトウェアを実行するときにプロセッサ304によって操作されるデータを記憶するために使用することもできる。
【００３４】
処理システム内の1つまたは複数のプロセッサ304は、ソフトウェアを実行することができる。ソフトウェアは、ソフトウェア、ファームウェア、ミドルウェア、マイクロコード、ハードウェア記述言語と呼ばれるか、または他の名称で呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、関数などを意味するように広く解釈されるべきである。ソフトウェアは、コンピュータ可読媒体306上に存在する場合がある。コンピュータ可読媒体306は、非一時的コンピュータ可読媒体であり得る。非一時的コンピュータ可読媒体には、例として、磁気ストレージデバイス(たとえば、ハードディスク、フロッピーディスク、磁気ストリップ)、光ディスク(たとえば、コンパクトディスク(CD)またはデジタル多用途ディスク(DVD))、スマートカード、フラッシュメモリデバイス(たとえば、カード、スティック、またはキードライブ)、ランダムアクセスメモリ(RAM)、読出し専用メモリ(ROM)、プログラマブルROM(PROM)、消去可能PROM(EPROM)、電気的消去可能PROM(EEPROM)、レジスタ、リムーバブルディスク、ならびに、コンピュータによってアクセスされ、読み取られ得るソフトウェアおよび/または命令を格納するための任意の他の適切な媒体が含まれる。コンピュータ可読媒体には、例として、搬送波、伝送路、ならびに、コンピュータによってアクセスされ、読み取られ得るソフトウェアおよび/または命令を送信するための任意の他の適切な媒体も含まれ得る。コンピュータ可読媒体306は、処理システム314の中に、処理システム314の外に存在するか、または処理システム314を含む複数のエンティティにわたって分散することができる。コンピュータ可読媒体306は、コンピュータプログラム製品内で具現化することができる。例として、コンピュータプログラム製品は、パッケージング材料内のコンピュータ可読媒体を含む場合がある。当業者は、本開示全体にわたって提示される記載された機能を、特定の用途およびシステム全体に課された全体的な設計制約に応じて、どのように最適に実装するかを認識されよう。
【００３５】
図4は、例示的な下位エンティティ204が処理システム414を使用するためのハードウェア実装形態の一例を示す概念図である。本開示の様々な態様によれば、要素、または要素の任意の部分、または要素の任意の組合せは、1つまたは複数のプロセッサ404を含む処理システム414を用いて実装することができる。
【００３６】
処理システム414は、バスインターフェース408、バス402、メモリ405、プロセッサ404、およびコンピュータ可読媒体406を含めて、図3に示された処理システム314と実質的に同じであり得る。さらに、下位エンティティ204は、図3において上述されたものと実質的に同様のユーザインターフェース412およびトランシーバ410を含む場合がある。すなわち、プロセッサ404は、下位エンティティ204内で利用されるように、下記に記載され、図7、図8、図11、図12、および/または図13に示されるプロセスのうちのいずれか1つまたは複数を実施するために使用することができる。
【００３７】
本開示のいくつかの態様では、プロセッサ404は、データチャネル上でアップリンクデータを生成および送信し、フィードバックチャネル上でアップリンクフィードバックを生成および送信するように構成された、データおよびフィードバックチャネル生成および送信回路442を含む場合がある。データおよびフィードバックチャネル生成および送信回路442は、データおよびフィードバックチャネル生成および送信ソフトウェア452と協調して動作することができる。プロセッサ404は、データチャネル上でダウンリンクデータを受信および処理し、1つまたは複数のダウンリンク制御チャネル上で制御情報を受信および処理するように構成された、データおよび制御チャネル受信および処理回路444をさらに含む場合がある。いくつかの例では、受信されたダウンリンクデータおよび/または制御情報は、メモリ405内のデータバッファに一時的に記憶することができる。プロセッサ404は、1つまたは複数のスケジューリングエンティティとのアップリンク通信および/またはダウンリンク通信を妨げる干渉を検出すること、ならびに、スケジューリングエンティティへの送信用に、CQI、干渉に関係する持続性情報、干渉の周波数、干渉の電力、または干渉に対応する空間情報のうちの1つまたは複数を生成することのために構成された、干渉メトリック/チャネル品質情報(CQI)決定および送信回路446をさらに含む場合がある。干渉メトリック/CQI決定および送信回路446は、干渉メトリック/CQI決定および送信ソフトウェア456と協調して動作することができる。
【００３８】
下記に記載されるように、本開示のいくつかの態様は、ダウンリンク-ダウンリンク多重化を提供することができ、そこで、スケジューリングエンティティは、進行中の高遅延データの伝送と並行して低レイテンシダウンリンクデータを多重伝送することを有効にされ得る。本開示のさらなる態様は、アップリンク-アップリンク多重化を提供することができ、そこで、下位エンティティの要求で、スケジューリングエンティティは、下位エンティティが進行中の高遅延データの伝送と並行して低レイテンシアップリンクデータを多重伝送するための機会をスケジュールすることを有効にされ得る。
【００３９】
当然、これらの例は、本発明のいくつかの概念を例示するために提供されたにすぎない。これらは実際には例にすぎず、アップリンク-ダウンリンク多重化およびダウンリンク-アップリンク多重化などの他の例が本開示の範囲および添付の特許請求の範囲に入る場合があることを、当業者なら理解されよう。
【００４０】
DL/DL多重化
図5は、本開示のいくつかの態様に従って実装され得るものとしての薄型軽量制御チャネルを含む、同期多重アクセスチャネル構造の一例の概略図である。この図では、チャネル構造は、ダウンリンクデータ伝送、すなわちスケジューリングエンティティから1つまたは複数の下位エンティティへの伝送に適用可能であり得る。当然、このチャネル構造は、そのような方式に限定されず、むしろ送信デバイスがトラフィックをスケジューリングしているいかなるリンクにも適用可能であるように一般化することができる。
【００４１】
図では、水平軸(t)が時間を表し、垂直軸(f)が(正確な縮尺ではない)周波数を表す。エアインターフェースの様々なユーザ向けのチャネル時間周波数リソースは、様々なブロックによって識別されるように、チャネル内の所与のエリアを占有する。たとえば、時間周波数リソースのうちのいくつかは、自分の通信に対するレイテンシ要件が厳しくない「通常」ユーザ502によって利用することができる。図では、一例として、ユーザA、B、C、D、E、およびFと標示された6つの通常ユーザ502は、各々、自分のそれぞれ標示されたブロックによって示されているように時間周波数リソースをスケジュールされる。当然、様々な例では、任意の数のユーザがリソースの使用をスケジュールされる場合がある。さらに、図では、時間周波数リソースのすべてが通常ユーザに割り当てられているように示されているが、様々な例では、時間周波数リソースのうちのいくつかまたはすべてもが割り当てられない場合があるか、または通常ユーザデータ以外の別の目的に割り当てられる場合がある。
【００４２】
本開示に照らしてみれば、通常ユーザ502は、スケジューリングエンティティ202からリソース割当てを受信する下位エンティティ204であり得るし、ここで、リソース割当ては、下位エンティティ204が長い伝送時間間隔(TTI)を利用することを示す。そのような通常ユーザ502は、それらの通信におけるレイテンシにより寛容であり得るし、多くの例では、容量についてより最適化することができる。したがって、これらのユーザは、低レイテンシ(LoLat)通信を必要とする可能性がある他のユーザまたは他のタイプの通信よりも多いレイテンシを許容することができるパケットに、そのようなロングTTIを利用することができる。ロングTTIは、大まかに、下記でさらに詳細に記載されるショートTTIよりも長い任意のTTIであり得る。いくつかの例では、ロングTTIは、複数のデータシンボルの持続時間、または時間スロットを有するTTIであり得る。ロングTTIのいくつかの非限定的な例は、100μs、240μs、または1msの持続時間を有する場合がある。当然、本開示の範囲内で、ロングTTI用の任意の適切な持続時間を利用することができる。
【００４３】
さらに、図5に示されたように、通常ユーザ502によって使用されるダウンリンクトラフィックチャネルに加えて、薄型軽量制御チャネル506を図示されたように利用することができる。ここで、薄型軽量制御チャネル506は、上述され図2に示された薄型軽量制御チャネル208/212のうちの1つまたは両方と同じであり得る。本開示内で、薄型軽量制御チャネルは、通常ユーザA〜F502について上述された割り振られる時間周波数リソースなどの、トラフィック伝送によって利用される周波数サブバンドの外部(たとえば、上位)の1つまたは複数の周波数サブバンド内に位置する場合がある。周波数方向における薄型軽量制御チャネル506の幅は、制御チャネル506によって利用されるオーバーヘッドの量を低減または最小化するために、低減または最小化することができる。
【００４４】
さらなる態様では、薄型軽量制御チャネル506をブロードキャストするスケジューリングエンティティ202と通信しているすべてのアクティブユーザ(たとえば、必ずしもそうではないが通常ユーザ502を含む下位エンティティ204)は、本明細書に示された薄型軽量制御チャネル506を監視(およびいくつかの例ではバッファリング)することができる。ここで、制御チャネル506に関する「薄型軽量(thin)」という用語は、それを介して情報単位がチャネル上で送信され得る短いまたは小さい持続時間を指し得る。たとえば、図5に示されたように、薄型軽量制御チャネル506の各時間スロット、シンボル、または単位は、ショートTTIの持続時間に対応することができる。すなわち、いくつかの例では、ショートTTIは、単一シンボルの持続時間に対応することができる。ショートTTIのいくつかの非限定的な例は、10μs、20μs、100μs、またはロングTTIよりも短い任意の他の適切な持続時間を有する場合がある。いくつかの例では、ロングTTIはショートTTIの整数倍を表す場合がある。いくつかの例では、ロングTTIとショートTTIの両方の中で共通のシンボル持続時間を利用することができるか、または他の例では、ロングTTIとショートTTIの中で異なるシンボル持続時間を利用することができる。
【００４５】
薄型軽量制御チャネル506は、限定はしないが、アップリンク伝送および/またはダウンリンク伝送に利用するために、時間周波数リソースのスケジューリングまたは認可を含む、通常ユーザ502などの下位エンティティ204用の任意の適切な制御情報を搬送することができる。詳細には、下記でより詳細に記載されるように、薄型軽量制御チャネル506は、低レイテンシ方式で通信することを望む場合がある下位エンティティに対する、すでにスケジュールされた時間周波数リソースの高速再割振りを有効にすることができる。すなわち、薄型軽量制御チャネル506は、いくつかの例では、作動中データを修正するために(たとえば、通常ユーザ502へのダウンリンクリソースの既存の割当てを修正するために)利用することができる。
【００４６】
すなわち、いつでも、スケジューリングエンティティ202と通信している1つまたは複数の下位エンティティ204は、ネットワークとの低レイテンシ(LoLat)通信を必要とするようになる場合があり、ロングTTIを利用する通常ユーザ502による通信からもたらされる比較的長いレイテンシよりも厳しい通信に対するレイテンシ要件が必要とされる。したがって、本開示の一態様では、薄型軽量制御チャネル506は、データトラフィック用のショートTTIを利用することができる(以下LoLatユーザ504と呼ばれる)低レイテンシ通信を望む1つまたは複数の下位エンティティのためのトラフィックと、データトラフィック用のロングTTIを利用する通常ユーザ502のためのトラフィックとの動的多重化を有効にすることができる。
【００４７】
次に図6を参照すると、1つまたは複数の通常ユーザ502から1つまたは複数のLoLatユーザ504への時間周波数リソースの再割振りのための例示的な方式を示すために一例が示される。すなわち、複数の通常ユーザ502は、時間周波数リソースの既存の割当てを利用してダウンリンク通信を受信している場合がある。ここで、必ずしも限定していないが、薄型軽量制御チャネル506を含む任意の適切な制御チャネルは、それらの下位エンティティ204がそれらのそれぞれの割当てに従ってダウンリンクデータを受信することができるように、ネットワーク内の様々なエンティティにリソースを認可するために利用することができる。それらの既存の割当てに対応する作動中データを有するすべてのアクティブな下位エンティティは、任意の下位エンティティがそうする処理能力が十分ではない可能性を除いて、上述されたように、薄型軽量制御チャネル506を監視することができる。薄型軽量制御チャネル506を監視することによって、リソースの既存の割当ては、通常ユーザ502による進行中のトラフィックがLoLatユーザ504用の情報と交換され得るように、薄型軽量制御チャネル506上の制御情報に従って修正することができる。
【００４８】
すなわち、本開示の一態様では、1つまたは複数のロングTTIの一部分と重複するショートTTIの中で、スケジューリングエンティティ202は、1つまたは複数のLoLatユーザ504向けに指定されたデータを送信することができる。いくつかの例では、LoLat伝送に適応するために、スケジューリングエンティティ202は、1つまたは複数のショートTTIの持続時間の間、ロングTTIの伝送をパンクチャリングする(たとえば、通常ユーザ502へのダウンリンクデータ伝送を中止する)ことができる。ここで、通常データがパンクチャリングされるときは、通常データのうちのいくつかが単に失われる場合であり得る。この例では、パンクチャリングリングのせいで失われたシンボルに鑑みてユーザデータを復元するために、前方誤り訂正コーディングを利用することができる。別の例では、スケジューリングエンティティ202は、通常ユーザデータのパンクチャリングリングの責任を負うために、レートマッチングを実施することができる。すなわち、スケジューリングエンティティ202は、失われたリソースの責任を負うためにレートマッチングアルゴリズムを利用して、通常データの一部分を修正することができる。当業者ならレートマッチング手順を理解するので、その実施詳細は本明細書において提供されない。しかしながら、本質的に、レートマッチングアルゴリズムは、データ(たとえば、通常ユーザデータ)が割り振られた物理リソースに適合するように符号化アルゴリズムを構成する。したがって、上述されたパンクチャリングリングがこれらのリソースの一部分を削除するとき、レートマッチングアルゴリズムは、低減された量のリソースの責任を負うために、(たとえば、コーディングレートを調整することによって)符号化をアクティブに調整することができる。
【００４９】
本開示の別の態様では、通常ユーザデータ用の時間周波数リソースをパンクチャリングするのではなく、通常ユーザ502用のデータおよびLoLatユーザ504用のデータが重複する場合がある。すなわち、両方のダウンリンク伝送が同じ時間周波数リソースを占有する場合がある。ここで、受信デバイスは、発生する可能性がある干渉の責任を負うように構成される場合があるか、または他の例では、そのような干渉は、許容できるデータ損失と考えられ得ることをもたらす可能性がある。さらなる例では、通常ユーザデータ伝送502の修正は、たとえば、上述されたレートマッチングアルゴリズムを調整することにより、重複した伝送の責任を負うために行われる場合がある。
【００５０】
したがって、すでに割り振られた時間周波数リソースは、薄型軽量制御チャネル506に基づいて有効にされるように、あるユーザから別のユーザにリアルタイムで動的に再割振りすることができる。
【００５１】
図6に示されたように、LoLatユーザ504向けのダウンリンクデータが送信されたのと同時に、LoLatデータに対応する情報は、薄型軽量制御チャネル506上で搬送することができる。たとえば、LoLatユーザ504向けのダウンリンクデータが送信されたときに、ショートTTIの間に薄型軽量制御チャネル506上で送信された制御情報508は、そのショートTTIの間にリソースが取り除かれ、別のユーザに再割当てされたことを通常ユーザ502に知らせる認可修正であり得る。このようにして、通常ユーザ502は、そのリソース上のデータを元々予測していたが、代わりに、そのリソース上の情報が本質的にランダムなデータまたはその通常ユーザ502にとってのノイズであることを知ることができる。
【００５２】
制御情報508は、任意の適切な方式で構築することができる。一例として、制御情報508は、特定の時間周波数リソース、または時間周波数リソースの特定の範囲が、通常ユーザ502からパンクチャリングされているか、または取り除かれていることの指示を含む場合がある。図6に示されたように、パンクチャリングリングの周波数次元における範囲は、ダウンリンクデータに割り振られた使用される周波数チャネルもしくはサブバンドの全体であり得るか、または別の例では、パンクチャリングリングの周波数範囲は、ダウンリンクデータに割り振られた周波数チャネルもしくはサブバンドの一部分であり得る。別の例では、制御情報508は、その以前に割り振られた時間周波数リソースがパンクチャリングされているユーザを識別する情報を含む場合がある。さらに別の例では、制御情報508は、どのTTIの中でリソース修正が行われているかを識別する情報を含む場合がある。たとえば、制御情報508は、制御情報508内で示されたリソース修正と同じショートTTIの中で必ずしも発生する必要はない。さらに別の例では、制御情報508は、LoLatユーザデータ504によるその干渉によって影響を受ける場合がある任意の残りの通常ユーザデータ上で利用することができるレートマッチングアルゴリズムに対する調整についての情報を含む場合がある。
【００５３】
すなわち、図示された例では、上述されたように、この制御情報508は、LoLatユーザ504に向けられた情報と同じTTIの間に送信される。しかしながら、これは本開示の範囲内の例だけではない。他の例では、制御情報508は、修正されたリソースの前または後でさえ、任意の適切なショートTTIの間に搬送することができる。すなわち、本開示のいくつかの態様では、通常ユーザ502は、薄型軽量制御チャネル506内で情報508のリアルタイム処理を実行することができる。しかしながら、本開示の他の態様では、通常ユーザ502は、一般に、より多くのレイテンシおよびより遅いターンアラウンドを許容することができる、より緩和されたタイムラインを有する場合があるので、情報508のリアルタイム処理を実行しない場合がある。この目的で、受信下位エンティティ204は、任意の所与の持続時間の間に、ダウンリンクデータおよび薄型軽量制御情報をバッファリングするように構成された、そのメモリ405内のデータバッファを含む場合がある。1つの説明のための例として、下位エンティティは、適切なバッファリング時間の間に受信されたデータをバッファリングすることができる。ここで、バッファリング時間の最後に、受信エンティティは、受信されバッファリングされたダウンリンクデータおよび薄型軽量制御情報を処理することができる。このときに、制御情報508などの薄型軽量制御チャネル内の情報を処理し、バッファリングされたダウンリンクデータに適用することができる。ここで、任意の特定の時間周波数リソースがパンクチャリングされるか、またはさもなければ修正されたことを制御情報508が示す場合、処理する下位エンティティ204は、そのリソースにおいてパケットの処理を適切に控えるか、またはさもなければ、制御情報508内で示されたようにパケットを適切に処理することができる。たとえば、通常ユーザ502は、パンクチャリングされた時間周波数リソース要素についての対数尤度比(LLR)をゼロにすることができる。割当てが事後処理されると、通常ユーザ502は、薄型軽量制御チャネル506上の情報に従って、パンクチャリングされたリソースに対応するTTIの間にバッファリングされたシンボルを消去することができる。
【００５４】
さらなる態様では、制御情報508は、その認可についてのLoLatユーザ504用の情報を含む場合がある。様々な例では、これは、それらのリソース修正について通常ユーザ502に知らせるために使用されたものと同じ情報であり得るか、または、これはLoLatユーザ504に適合された別個の情報であり得る。制御情報508は、LoLatダウンリンクデータが向けられたLoLatユーザ504を識別する情報、含まれたダウンリンクデータを受信する際にLoLatユーザ504を支援する情報(たとえば、割り振られた特定の時間周波数リソースの識別情報、変調およびコーディング方式など)、ならびにLoLatユーザ504に向けられた任意の他の適切な情報をさらに含む場合がある。
【００５５】
LoLatユーザ504の場合、これらのLoLatユーザ504によって占有された時間周波数リソースの、時間次元における比較的短い幅によって示されているように、ショートTTIを使用することができる。すなわち、いくつかのユーザまたはいくつかのタイプの通信は、長い(非LoLat)TTIの使用から利用可能であり得るよりも低いレイテンシから恩恵を受けるか、またはそれを要求さえすることができる。したがって、ショートTTIを利用することによって、より低いレイテンシを実現することができる。ロングTTIまたはショートTTIのいずれかの中で搬送される情報シンボルの持続時間は、任意の適切な持続時間を取ることもでき、一例はシンボルごとに10μsの持続時間である。直交周波数分割多重化が採用された例では、シンボルの持続時間に、さらに1μsのサイクリックプレフィックスが追加される場合がある。
【００５６】
本開示の様々な態様では、薄型軽量制御チャネル506上の情報は、上述されたように、時間周波数リソースを再割振りするための制御情報508以上の他の情報を含む場合がある。たとえば、薄型軽量制御チャネル506は、いくつかの例では、通常ユーザ502に何の時間周波数リソースが認可されたかを示す認可情報を搬送することができる。当然、ロングTTIのダウンリンクリソースの認可に別の1つまたは複数のチャネルを利用することができる。すなわち、いくつかの例では、通常ユーザ502にリソースを割り当てるために、別個の認可チャネル(図示せず)を利用することができる。
【００５７】
この方式を利用することにより、通常ユーザ502は、一般に、ロングTTIを利用することができ、さらに適切な処理タイムラインを利用することができる。極めて高速のターンアラウンドは通常ユーザ502に必要とされない可能性があるので、処理タイムラインは、若干長い側にあり得る。一方、LoLatユーザ504は、一般に、ショートTTIを利用することができ、さらに高速のターンアラウンド処理タイムラインを利用することができる。
【００５８】
図7は、様々なレイテンシ目標を有するダウンリンクデータを多重化するための一例に従って行われる可能性がある、例示的なリソースの割当ておよび再割当ての手順を示すコールフロー図である。この図では、時間は下方向に進み、図示されたエンティティ間の通信信号は、それぞれのエンティティの下のライン間の矢印で描写される。図示されたように、スケジューリングエンティティ202は、通常ユーザ502およびLoLatユーザ504を含む、複数の下位エンティティ204と通信している。
【００５９】
図7は、図8に示されたフローチャートと連携して下記に記載される。すなわち、図8は、本開示のいくつかの態様による、リソースの割当ておよび再割当てのための例示的なプロセス800を示すフローチャートである。プロセス800は、スケジューリングエンティティ202の観点から記載され、したがって、図7と連携して記載されるように、図2および/または図3と連携して上述されたスケジューリングエンティティにおいて動作可能であり得る。本開示の範囲内の他の例では、プロセス800は、汎用プロセッサ、上述され図3に示された処理システム314、または記載された機能を遂行するための任意の適切な手段によって動作可能であり得る。
【００６０】
ブロック802において、スケジューリングエンティティ202は、少なくとも1つの下位エンティティに、時間周波数リソースの第1の割当てまたは認可702を送信することができる。ダウンリンク割当てチャネルなどの任意の適切なダウンリンク制御チャネルは、ブロック802において、第1のリソース割当て702に利用することができる。たとえば、第1の割当てもしくは認可702は、ロングTTIの最初に行われる場合があるか、または他の例では、第1の割当てもしくは認可は、ロングTTI全体に及ぶ可能性がある。第1の割当てまたは認可702がロングTTI全体に及ぶ場合、リソースの割当てまたは認可に対する任意の修正は、ロングTTIの最後に処理することができる。ここで、第1のリソース割当て702は、ダウンリンクデータ伝送、すなわちロングTTIを利用する伝送を通常受信するために、下位エンティティにどの時間周波数リソースが割り当てられるかを示すように構成される場合がある。第1のリソース割当て702に従って、ブロック804において、スケジューリングエンティティ202は、ロングTTIを利用して、少なくとも1つの下位エンティティ(たとえば、下位エンティティ502および504)に通常ダウンリンクデータ704を送信することができる。ここで、図6を参照すると、この通常ダウンリンクデータ704は、通常ユーザ502への伝送に対応することができる。破線の矢印で図7に示されたように、通常ダウンリンクデータは、第1のリソース割当て702の内容および第2の下位エンティティ504がロングTTIを利用してダウンリンクデータ伝送を受信するように構成されているかどうかに応じて、場合によっては、第2の下位エンティティ504に送信することができる。
【００６１】
通常ダウンリンクデータ704は、通常ダウンリンクデータ704を使い果たす下位エンティティに送信され続ける場合があるので、ブロック802および804は、様々な例では複数回繰り返すか、または反復される場合がある。たとえば、ブロック806において、スケジューリングエンティティ202は、任意の1つまたは複数の下位エンティティに送信されるべきLoLatデータが存在しないと判断する場合がある。しかしながら、いつでも、スケジューリングエンティティ202がLoLatユーザ504にLoLatデータを送信したい場合があることが起きる可能性がある。たとえば、ブロック806において、スケジューリングエンティティ202は、1つまたは複数の下位エンティティに送信されるべきLoLatデータが存在すると判断する場合がある。したがって、ブロック808において、スケジューリングエンティティ202は、第1のリソース割当てに対応するロングTTIを中断するか、またはそれと重複するショートTTIの持続時間の間にアクションのセットを実行することができ、セットは破線ボックス706で図7において描写される。いくつかの例では、ボックス706内のこれらのアクションは、同時に実行される場合がある。しかしながら、上述されたように、ボックス706内のアクションのいずれかまたはすべては、他の例では、時間的にずらされる場合があり、データチャネルおよび制御チャネルの事後処理は、ネットワーク内の下位エンティティのすべてによるLoLatデータの処理およびスケジューリング割当てを有効にすることができる。
【００６２】
すなわち、ブロック808において、スケジューリングエンティティ202は、上述されたように、ダウンリンク薄型軽量制御チャネル506上でスケジューリング認可修正508(図6〜図7参照)を送信することができる。スケジューリング認可修正508は、時間周波数リソースの認可の修正を通常ユーザ502に、およびいくつかの例では、LoLatユーザ504にも知らせる情報を含む場合があり、その結果、それぞれの下位エンティティは、ダウンリンクデータを正しく復号することができる。さらに、スケジューリングエンティティ202は、LoLatユーザ504に時間周波数リソースの第2の割当てまたは認可708(図7参照)を送信することができる。第2のリソース割当て708に利用する特定のチャネルは図6に示されていないが、任意の適切なダウンリンク制御チャネルを第2のリソース割当て708に利用することができる。またさらに、スケジューリングエンティティ202は、1つまたは複数のショートTTIを利用して、LoLatユーザ504にLoLatダウンリンクデータ710を送信することができる。
【００６３】
もう一度、本開示のいくつかの態様では、スケジューリング認可修正508の送信、第2のリソース割当てまたはLoLat認可708の送信、およびLoLatダウンリンクデータ710の送信は、図6に示されたように、各々同時に、すなわち同じショートTTIの中で行われる場合がある。当然、上述されたように、本開示の他の態様では、これらの送信は、必ずしも同じショートTTIの間に行われる必要はない。すなわち、受信下位エンティティ204は、それらのメモリ405内にデータバッファを含む場合があり、その中に、スケジューリング認可修正508、第2のリソース割当て708、およびLoLatダウンリンクデータ710の内容を、(たとえば、進行中のロングTTIの最後または任意の適切な時間における)事後処理のために記憶することができる。
【００６４】
ブロック810において、スケジューリングエンティティは、ロングTTIを利用するダウンリンクデータの送信を再開することができる。ここで、いくつかの例では、ロングTTIのダウンリンクデータ送信の再開は、LoLatユーザデータの送信が完了すると行うことができる。しかしながら、それは、必ずしもロングTTIのダウンリンクデータのすべてがLoLatユーザデータの送信中に中止された場合であるとは限らない。たとえば、図6を参照すると、LoLatユーザデータの送信に利用されたショートTTIのうちの少なくともいくつかの中で、ロングTTIのダウンリンクデータを、異なる時間周波数リソース上で同時に送信することができる。すなわち、本開示のいくつかの態様では、サブキャリア、チャネル、または帯域幅の一部分のみをLoLatデータに利用することができ、一方サブキャリア、チャネル、または帯域幅の他の部分は、ロングTTIのダウンリンクデータの送信を続行するために利用することができる。
【００６５】
上記の方式を利用することによって、薄型軽量制御チャネル506は、スケジューリングエンティティが、1組の下位エンティティへのダウンリンク伝送のために、異なるTTIを有する少なくとも2つの異なるデータタイプまたはカテゴリを多重化することを有効にすることができる。
【００６６】
UL/UL多重化
図9は、本開示のさらなる態様に従って実装され得るものとしての薄型軽量制御チャネルを含む、同期多重アクセスチャネル構造の一例の概略図である。この図では、チャネル構造は、アップリンクデータ伝送、すなわち下位エンティティからスケジューリングエンティティへの伝送に適用可能であり得る。当然、このチャネル構造は、そのような方式に限定されず、むしろ受信デバイスがトラフィックをスケジューリングしているいかなるリンクにも適用可能であるように一般化することができる。
【００６７】
上述されたダウンリンク例におけるように、エアインターフェースの様々なユーザ用のアップリンク時間周波数チャネルリソースは、様々なブロックによって識別されるように、チャネル内の所与のエリアを占有する。たとえば、時間周波数リソースのうちのいくつかは、自分の通信に対するレイテンシ要件が厳しくない「通常」ユーザ902によって利用することができる。図では、一例として、ユーザA、B、C、D、E、およびFと標示された6つの通常ユーザ902は、各々、自分のそれぞれ標示されたブロックによって示されているように時間周波数リソースをスケジュールされる。当然、様々な例では、任意の数のユーザがリソースの使用をスケジュールされる場合がある。さらに、図では、時間周波数リソースのすべてが通常ユーザに割り当てられているように示されているが、様々な例では、時間周波数リソースのうちのいくつかまたはすべてもが割り当てられない場合があるか、または通常ユーザデータ以外の別の目的に割り当てられる場合がある。
【００６８】
本開示に照らしてみれば、通常ユーザ902は、スケジューリングエンティティ202からリソース割当てを受信する下位エンティティ204であり得るし、リソース割当ては、下位エンティティ204がロングTTIを利用することを示す。そのような通常ユーザ902は、それらの通信におけるレイテンシにより寛容であり得るし、多くの例では、容量についてより最適化することができる。したがって、これらのユーザは、LoLat通信を必要とする可能性がある他のユーザまたは他のタイプの通信よりも多いレイテンシを許容することができるパケットに、そのようなロングTTIを利用することができる。ロングTTIは、大まかに、下記でさらに詳細に記載されるショートTTIよりも長い任意のTTIであり得る。いくつかの例では、ロングTTIは、複数のデータシンボルの持続時間、または時間スロットを有するTTIであり得る。ロングTTIのいくつかの非限定的な例は、100μs、240μs、または1msの持続時間を有する場合がある。当然、本開示の範囲内で、ロングTTI用の任意の適切な持続時間を利用することができる。
【００６９】
さらに、図9に示されたように、通常ユーザ902によって使用されるアップリンクデータトラフィックチャネルに加えて、アップリンク方向における「薄型軽量」フィードバックチャネル907を図示されたように利用することができる。ここで、薄型軽量フィードバックチャネル907は、上述され図2に示された薄型軽量フィードバックチャネル214と同じであり得る。本開示内で、薄型軽量フィードバックチャネルは、通常ユーザA〜F902について上述された割り振られる時間周波数リソースなどの、アップリンクトラフィック伝送によって利用される周波数サブバンドの外部(たとえば、上位)の1つまたは複数の周波数サブバンド内に位置する場合がある。周波数方向における薄型軽量フィードバックチャネル907の幅は、薄型軽量フィードバックチャネル907によって利用されるオーバーヘッドの量を低減または最小化するために、低減または最小化することができる。
【００７０】
またさらに、図9に示されたように、アップリンクトラフィックチャネルおよびフィードバックチャネルに加えて、図示されたように、ダウンリンク方向において薄型軽量制御チャネル906を利用することができる。ここで、薄型軽量制御チャネル906は、上述され図2に示された薄型軽量制御チャネル208/212のうちの1つまたは両方と同じであり得る。本開示内で、薄型軽量制御チャネルは、通常ユーザA〜F902および薄型軽量フィードバックチャネル907について上述された割り振られる時間周波数リソースなどの、アップリンクトラフィック伝送およびフィードバック伝送によって利用される周波数サブバンドの外部の1つまたは複数の周波数サブバンド内に位置する場合がある。たとえば、周波数分割複信(FDD)システムにおいて、ダウンリンク上の薄型軽量制御チャネル906は、同じ帯域内だが異なる周波数チャネル上のアップリンクトラフィックチャネルおよびフィードバックチャネルとは異なる帯域内であり得る。周波数方向における薄型軽量制御チャネル906の幅は、制御チャネル906によって利用されるオーバーヘッドの量を低減または最小化するために、低減または最小化することができる。さらなる態様では、薄型軽量制御チャネル906をブロードキャストするスケジューリングエンティティ202と通信しているすべてのアクティブユーザ(たとえば、必ずしもそうではないが通常ユーザ902を含む下位エンティティ204)は、本明細書に示された薄型軽量制御チャネル906を監視(およびいくつかの例ではバッファリング)することができる。
【００７１】
図9に示されたように、薄型軽量制御チャネル906の各時間スロット、シンボル、または単位は、ショートTTIの持続時間に対応することができる。すなわち、いくつかの例では、ショートTTIは、単一シンボルの持続時間に対応することができる。ショートTTIのいくつかの非限定的な例は、10μs、20μs、100μs、またはロングTTIよりも短い任意の他の適切な持続時間を有する場合がある。いくつかの例では、ロングTTIはショートTTIの整数倍を表す場合がある。いくつかの例では、ロングTTIとショートTTIの両方の中で共通のシンボル持続時間を利用することができるか、または他の例では、ロングTTIとショートTTIの中で異なるシンボル持続時間を利用することができる。
【００７２】
次に図10を参照すると、ロングTTIを利用する1つまたは複数の下位エンティティからのアップリンク伝送と、ショートTTIを利用する1つまたは複数の下位エンティティからのアップリンク伝送との多重化を有効にする、下位エンティティによる多重アクセス伝送(たとえば、アップリンク伝送)用の例示的な方式を示すために一例が示される。すなわち、複数の通常ユーザ902は、時間周波数リソースの既存の割当てを利用してアップリンク通信を送信している場合がある。ここで、ダウンリンク方向における(必ずしも薄型軽量制御チャネル906とは限らない)任意の適切な制御チャネルは、それらの下位エンティティ204がそれらのそれぞれの割当てに従ってロングTTIのアップリンクデータを送信することができるように、ネットワーク内の様々なエンティティにリソースを認可するために利用することができる。
【００７３】
ここで、それは、ネットワーク内の下位エンティティがLoLatデータを送信したい場合であり得る。ここで、複数の下位エンティティの中の直交性を維持するために、中央のスケジューリングエンティティは、下位エンティティの各々によるLoLat伝送とロングTTIのアップリンク伝送の両方をスケジュールするために利用することができ、それらは、一般に、そのような伝送用の割り当てられた時間周波数リソースを受信せずに、アップリンクデータをランダムに送信しない場合がある。したがって、特定の下位エンティティ204が、より低いレイテンシで送信されることを望むトラフィック(たとえば、高優先度トラフィック)を有すると判断すると、下位エンティティは、薄型軽量フィードバックチャネル907上でLoLatスケジューリング要求909を送信することができる。LoLatスケジューリング要求909は、単一のショートTTIを占有するように示されているが、これは必ずしもいつもそうであるとは限らず、様々なLoLatスケジューリング要求が任意の適切な数のショートTTIまたはシンボル長を占有する可能性がある。LoLatスケジューリング要求909の内容は、たとえば、長さ、データタイプ、優先度、バッファステータス報告(BSR)、レイテンシ境界、信頼性情報、またはLoLatデータに関する任意の他の適切な情報などの、送信エンティティが送信したいLoLatデータについての情報を含む場合がある。いくつかの例では、LoLatスケジューリング要求909は単一ビットから構成される場合があるが、他の例では、LoLatスケジューリング要求909は複数のビットを含む場合がある。
【００７４】
LoLatスケジューリング要求909に応答して、LoLatスケジューリング要求909の受信側(たとえば、スケジューリングエンティティ202)は、それに応じてスケジューリング調整を認可するように決定することができる。このようにして、スケジューリングエンティティ202は、そのLoLatアップリンク伝送を行うようにLoLatユーザ904に要求するために、リソースを利用有効にすることができる。したがって、スケジューリングエンティティ202は、薄型軽量制御チャネル906上で、アップリンク認可修正908を送信することができる。このアップリンク認可修正908は、それらの認可が修正されたこと、および以前に割り振られたロングTTIの時間周波数リソースがパンクチャリングされること、およびそれらのリソースが通常ユーザ902によって使用されないことを、通常ユーザ902に通知することができる。ここで、通常ユーザ902のリソースをパンクチャリングすることは、いくつかの例では、通常ユーザ902が再割当てされたショートTTIに関連付けられた時間中に送信を中止することを意味する。(限定はしないが、周波数分割多重化および符号分割多重化を含む)チャネル多重化の1つまたは複数の手段が使用され得る他の例では、通常ユーザ902のリソースをパンクチャリングすることは、通常ユーザ902がパンクチャリングされたリソースの使用を中止するが、直交性を維持するために、LoLatユーザ904に以前に認可されたリソース以外の別の周波数または別のスクランブリングコードを利用して、アップリンクデータの送信を続行できることを意味する。上述されたように、薄型軽量制御チャネル906は、スケジューリングエンティティ202と通信しているすべての下位エンティティ204によって監視されるポイントツーマルチポイントブロードキャストチャネルであり得る。このようにして、アップリンク認可修正908によってパンクチャリングされたそれらの以前に認可された時間周波数リソースを有する任意の1つまたは複数のユーザは、次にLoLatユーザ904に割り振られた特定の時間周波数リソースを利用して、それらのアップリンク伝送を送信しないように通知または命令され得る。
【００７５】
ここで、通常ユーザデータがパンクチャリングされるときは、通常データのうちのいくつかが単に失われる場合であり得る。この例では、パンクチャリングリングのせいで失われたシンボルに鑑みてユーザデータを復元するために、前方誤り訂正コーディングを利用することができる。別の例では、通常ユーザデータを送信する下位エンティティは、通常ユーザデータのパンクチャリングリングの責任を負うために、レートマッチングを実施することができる。すなわち、下位エンティティは、失われたリソースの責任を負うためにレートマッチングアルゴリズムを利用して、通常データの一部分を修正することができる。当業者ならレートマッチング手順を理解するので、その実施詳細は本明細書において提供されない。しかしながら、本質的に、レートマッチングアルゴリズムは、データ(たとえば、通常ユーザデータ)が割り振られた物理リソースに適合するように符号化アルゴリズムを構成する。したがって、上述されたパンクチャリングリングがこれらのリソースの一部分を削除するとき、レートマッチングアルゴリズムは、低減された量のリソースの責任を負うために、(たとえば、コーディングレートを調整することによって)符号化をアクティブに調整することができる。
【００７６】
本開示の別の態様では、通常ユーザデータ用の時間周波数リソースをパンクチャリングするのではなく、通常ユーザ902からのデータおよびLoLatユーザ904用のデータが重複する場合がある。すなわち、両方のアップリンク伝送が同じ時間周波数リソースを占有する場合がある。ここで、受信エンティティは、発生する可能性がある干渉の責任を負うように構成される場合があるか、または他の例では、そのような干渉は、許容できるデータ損失と考えられ得ることをもたらす可能性がある。さらなる例では、通常ユーザデータ伝送902の修正は、たとえば、上述されたレートマッチングアルゴリズムを調整することにより、重複した伝送の責任を負うために行われる場合がある。
【００７７】
さらなる態様では、アップリンク認可修正908は、通常ユーザ902に向けられた認可修正情報を含む場合があるだけでなく、いくつかの例では、パンクチャリングされたか、またはさもなければ示された時間周波数リソースがLoLatユーザ904に割り振られたことを示す、要求側LoLatユーザ904に向けられた認可情報をさらに含む場合がある。本開示の範囲内の別の例では、要求側LoLatユーザ904に向けられた認可情報は、通常ユーザ902に向けられた認可修正情報とは別個のまたは異なるアップリンク認可チャネル(図示せず)上で搬送することができる。すなわち、薄型軽量制御チャネル906は、いくつかの例では、LoLatユーザ904のための認可情報を除外する場合があり、この情報は、要求側LoLatユーザ904によって読取り可能な任意の適切なダウンリンクチャネル上で送信される。いずれの場合も、要求側LoLatユーザ904に向けられた認可情報は、LoLatユーザ904を識別する情報、アップリンクLoLatデータ伝送に使用する1つもしくは複数の時間周波数リソースを識別する情報、変調およびコーディング方式、電力制御情報、タイミングアドバンス情報、または要求側LoLatユーザ904向けに認可されたリソースに関する任意の他の適切な情報を含む場合がある。
【００７８】
図10の例示では、LoLatユーザ904は、LoLatスケジューリング要求909を送信するが、通常ユーザ902を含むすべての下位エンティティは、アップリンク認可修正908を受信する。ここで、本開示のさらなる態様では、通常ユーザ902は、再割振りされたショートTTIの間に送信を即座に中止する(たとえば、それらの伝送をパンクチャリングする)ことができるように、比較的迅速にアップリンク認可修正908を復号することが可能であるように構成される場合がある。このようにして、時間周波数リソースは、LoLatユーザ904がそのLoLatシンボルを送信するために、迅速に利用有効にすることができる。
【００７９】
上述され図6に示されたダウンリンク方式と比較して、ここに記載され図10に示されたアップリンク方式は、比較的高いレイテンシを有することを観察することができる。このレイテンシは、スケジューリングエンティティ202において受信されるべきLoLatスケジューリング要求909のアップリンク伝送に対する伝搬遅延、スケジューリングエンティティ202における処理遅延、下位エンティティ204において受信されるべきアップリンク認可修正908のダウンリンク伝送に対する第2の伝搬遅延、および割り振られたリソースがLoLat伝送に利用可能になるまでのさらなる遅延に起因する場合がある。
【００８０】
図11は、様々なレイテンシ目標を有するアップリンクデータを多重化するための一例に従って行われる可能性がある、例示的なリソースの割当ておよび再割当ての手順を示すコールフロー図である。この図では、時間は下方向に進み、図示されたエンティティ間の通信信号は、それぞれのエンティティの下のライン間の矢印で描写される。図示されたように、スケジューリングエンティティ202は、通常ユーザ902およびLoLatユーザ904を含む、複数の下位エンティティ204と通信している。
【００８１】
図11は、図12に示されたフローチャートと連携して下記に記載される。すなわち、図12は、本開示のいくつかの態様による、リソースの割当ておよび再割当てのための例示的なプロセス1200を示すフローチャートである。プロセス1200は、スケジューリングエンティティ202の観点から記載され、したがって、図11と連携して記載されるように、図2および/または図3と連携して上述されたスケジューリングエンティティにおいて動作可能であり得る。本開示の範囲内の他の例では、プロセス1200は、汎用プロセッサ、上述され図3に示された処理システム314、または記載された機能を遂行するための任意の適切な手段によって動作可能であり得る。
【００８２】
ブロック1202において、スケジューリングエンティティ202は、少なくとも1つの下位エンティティに、時間周波数リソースの第1の割当てまたは認可702を送信することができる。任意の適切なダウンリンク制御チャネルは、ブロック1202において、第1のリソース割当て1102に利用することができる。ここで、第1のリソース割当て1102は、通常アップリンクデータ伝送、すなわちロングTTIを利用する伝送のために、下位エンティティにどの時間周波数リソースが割り当てられるかを示すように構成される場合がある。第1のリソース割当て1102に従って、ブロック1204において、スケジューリングエンティティ202は、ロングTTIを利用して、少なくとも1つの下位エンティティ(たとえば、下位エンティティ902および904)から通常アップリンクデータ1104を受信することができる。ここで、図10を参照すると、この通常アップリンクデータ1104は、通常ユーザ902からの伝送に対応することができる。破線の矢印で図11に示されたように、通常アップリンクデータは、第1のリソース割当て1102の内容および第2の下位エンティティ904がロングTTIを利用してアップリンクデータ伝送を送信するように構成されているかどうかに応じて、場合によっては、下位エンティティ904から送信することができる。
【００８３】
通常アップリンクデータ1104は、下位エンティティから送信され続ける場合があるので、ブロック1202および1204は、様々な例では複数回繰り返すか、または反復される場合がある。しかしながら、いつでも、下位エンティティ904(すなわち、LoLatユーザ904)がスケジューリングエンティティ202にLoLatデータを送信したい場合があることが起きる可能性がある。したがって、ブロック1206において、スケジューリングエンティティ202は、LoLatユーザ904(すなわち、第2の下位エンティティ904)から薄型軽量フィードバックチャネル907上でLoLatスケジューリング要求909を受信することができる。LoLatスケジューリング要求909は、要求側下位エンティティ904を識別し、送信されることが必要なLoLatデータに関する任意の関連情報を含む情報を含む場合がある。
【００８４】
ブロック1208において、スケジューリングエンティティ202は、薄型軽量制御チャネル906上でアップリンクスケジューリング認可修正908を送信することができる。ここで、アップリンクスケジューリング認可修正908は、ロングTTIのアップリンク伝送用の認可されたリソースを有する第1の下位エンティティ902などの通常ユーザ902に、少なくとも1つの指定されたショートTTIの間にそれらのアップリンク伝送をパンクチャリングするように命令することができる。さらに、ブロック1210において、スケジューリングエンティティ202は、要求側下位エンティティ904(すなわち、LoLatユーザ904)に時間周波数リソースの第2のリソース割当てまたは認可1106を送信することができる。ここで、第2のリソース割当て1106は、要求側下位エンティティ904を識別する情報、およびLoLatアップリンク伝送用に認可された時間周波数リソースを識別する情報を含む場合がある。いくつかの例では、ブロック1208におけるアップリンクスケジューリング認可修正908の送信およびブロック1210における第2のリソース割当て1106の送信は、同時に行われる場合がある。すなわち、これらの送信は、たとえば、異なる時間周波数リソースを利用して多重化することができる。他の例では、これらの送信は、特定の実装形態の詳細に従って異なる時間に行われる場合がある。
【００８５】
ブロック1212は、通常ユーザ902およびLoLatユーザ904などの下位エンティティにおける動作を表す。すなわち、アップリンク認可修正908に応答して、通常ユーザ902(すなわち、第1の下位エンティティ902)は、ロングTTIを利用するそれらの以前にスケジュールされたアップリンクデータ伝送をパンクチャリングすることができる。さらに、第2のリソース割当て1106に応答して、LoLatユーザ904(すなわち、第2の下位エンティティ904)は、割り当てられた時間周波数リソースを利用してLoLatアップリンクデータ1108を送信することができる。
【００８６】
ブロック1214において、スケジューリングエンティティ202は、ショートTTIを利用して要求側下位エンティティ904から送信されたLoLatアップリンクデータ1108を受信することができる。
【００８７】
ブロック1216は、通常ユーザ902、およびいくつかの例では、LoLatユーザ904などの下位エンティティにおけるさらなる動作を表す。すなわち、通常下位エンティティは、LoLatアップリンクデータの送信が完了すると、それらの通常アップリンクデータの送信を再開することができる。したがって、ブロック1218において、スケジューリングエンティティ202は、ロングTTIを利用して1つまたは複数の下位エンティティからの通常アップリンクデータの受信を再開することができる。
【００８８】
上記の方式を利用することによって、薄型軽量制御チャネル906は、スケジューリングエンティティが、1組の下位エンティティからのアップリンク伝送のために、異なるTTIを有する少なくとも2つの異なるデータタイプまたはカテゴリを多重化することを有効にすることができる。
【００８９】
干渉管理
本開示のさらなる態様では、上記で本明細書に記載された薄型軽量制御チャネルに基づいて、様々な波形、レイテンシ、およびTTIを有するチャネルおよびユーザを一緒に多重化することができるだけではない。さらに、効果的な干渉管理およびリンク適応を有効にすることができる。たとえば、ワイヤレス通信ネットワーク内で動作している間、モバイル通信デバイスが被る可能性がある干渉の量は、時間とともに変化する場合がある。特に、無認可またはあまり調整されていない配置では、そのようなワイヤレス通信デバイスは過度の干渉を受ける可能性がある。本開示の一態様によれば、スケジューリングエンティティ202および/または下位エンティティ204などのワイヤレス通信デバイスが、過度のおよび/または時間変動する干渉に遭遇した場合、受信ワイヤレス通信デバイスは、干渉状態が存在することを示すために送信デバイスにフィードバックを送信することができる。干渉に関するフィードバック情報は、本開示において記載されたように、適切な薄型軽量制御チャネル、薄型軽量フィードバックチャネル、または他の適切な薄型軽量伝送チャネル上で送信することができる。
【００９０】
干渉に遭遇している受信デバイス(たとえば、スケジューリングエンティティ202および/または下位エンティティ204)によって送信されるフィードバック情報は、限定はしないが、干渉物および/または干渉信号、干渉物の時間(持続性)、周波数、電力、空間情報などを含む、様々な適切な情報を含む場合がある。受信デバイスによって送信される情報は、干渉物の存在下でチャネルがどれほど不十分であるかを示すことができる、チャネル品質インジケータ(CQI)を含むこともできる。またさらに、送信される情報は、各シンボル内にカウントダウンフィールドを有する、各シンボル内のパケット持続時間を含む場合がある。
【００９１】
LTEまたは初期の通信規格におけるCQIなどのいくつかの既存のCQI実装形態は、比較的コンピュータ集約的であり得る。したがって、5GのCQIフィードワックの場合、本開示のいくつかの態様では、CQI計算の複雑度は、低減または簡易化される必要があり得る。この目的で、干渉を被り、薄型軽量制御チャネル伝送または薄型軽量フィードバックチャネル伝送上でCQIを生成する受信デバイスは、必ずしもすべての可能なビームフォーミング方向をチェックするとは限らない場合がある。すなわち、本開示のいくつかの態様では、CQI報告デバイスは、どのランクが伝送に適しているか、およびそれらの仮説の下で、どの容量をデバイスが見るか、どの変調およびコーディング方式(MCS)を報告エンティティがサポートすることができるかを報告することができ、それらは受信エントリに報告することができる。CQIは、いくつかの例では、干渉が決定された量、たとえば10dBだけ飛び越したことの指示と同じように簡単であり得る。
【００９２】
再び図5を参照すると、ダウンリンク伝送の状況では、通常ユーザ502が、たとえばジャミング信号からの干渉に遭遇している場合、通常ユーザ502は、薄型軽量制御チャネル上でフィードバックを送信して、干渉に遭遇していることを送信デバイス(たとえば、スケジューリングエンティティ202)に伝えることができる。ここで、フィードバックは、正しく復号される可能性が低いのでそれらのパケットを破棄するようにスケジューリングエンティティ202に指示するか、またはその伝送方法(たとえば、変調、コーディング方式、電力など)を変更するようにスケジューリングエンティティ202に要求するように構成される場合がある。したがって、薄型軽量制御チャネル(および/または薄型軽量フィードバックチャネル)は、送信デバイスがより動的なリンク適応を実行することを有効にすることができる高速フィードバック機構を実現することができる。
【００９３】
ジャミング信号が非常に短い持続時間である場合、UEが薄型軽量制御チャネルを利用するダウンリンク伝送の動的適応に関して達成できることは少ない可能性がある。しかしながら、ジャマーが永続的であり、潜在的に1つまたは複数のロングTTIのサブフレーム全体を消去している場合、スケジューリングエンティティへのそのような高速フィードバックは、将来の伝送のためにスケジューリングエンティティによって考慮に入れることができる。たとえば、あるUEがジャミング信号からの干渉を被るだけで、別のUEは被らない場合がある。この場合、スケジューリングエンティティは、影響を受けたUEへの送信を中止することができ、代わりに干渉に見舞われていない別のユーザに送信することができる。
【００９４】
図13は、本開示のいくつかの態様による、干渉軽減のための例示的なプロセス1300を示すフローチャートである。いくつかの例では、プロセス1300は、上述され図3に示されたスケジューリングエンティティ202によって実施することができる。いくつかの例では、プロセス1300は、上述され図3に示された処理システム314によって、または記載された機能を遂行するための任意の適切な手段によって実施することができる。
【００９５】
ブロック1302において、スケジューリングエンティティ202は、アップリンク通信および/またはダウンリンク通信用のロングTTIを利用して、上述され図4に示された下位エンティティ204などの1つまたは複数の下位エンティティと通信することができる。ブロック1304において、スケジューリングエンティティ202は、下位エンティティ204から送信された薄型軽量制御チャネル上の情報を受信することができる。たとえば、薄型軽量制御チャネル上で受信された情報は、チャネル品質インジケータ(CQI)、干渉メトリック(たとえば、干渉の量に関するか、もしくは干渉の量を直接示すパラメータ)、または下位エンティティにおいて遭遇した干渉に関する他の何らかのパラメータもしくはメトリックのうちの1つまたは複数を含む場合がある。
【００９６】
ブロック1306において、スケジューリングエンティティ202は、それに応じて、下位エンティティ204とのその通信を中断することができる。ここで、ダウンリンク伝送の場合、スケジューリングエンティティ202は、下位エンティティ204へのその伝送を中断することができる。アップリンク伝送の場合、さらなるハンドシェイクが行われる場合があり、たとえばそこで、スケジューリングエンティティ202は、下位エンティティ204にそのアップリンク伝送を中断するように指示する。このようにして、下位エンティティによって遭遇されている干渉状態に関連付けられる場合がある高いエラー確率を回避することができ、したがって、浪費されるリソースを低減または回避することができる。さらなる例では、下位エンティティとの通信を中断することに加えて、スケジューリングエンティティ202は、応答下位エンティティ204に以前に割り当てられたリソースを、1つまたは複数の他の下位エンティティに再割当てすることができる。すなわち、スケジューリングエンティティ202は、下位エンティティとの通信の中断中に、1つまたは複数の他の下位エンティティとの通信をスケジュールすることができる。
【００９７】
別の例では、下位エンティティ204との通信を中断するのではなく、スケジューリングエンティティ202は、下位エンティティ204との進行中の通信の変調およびコーディング方式(MCS)を修正することができる。たとえば、スケジューリングエンティティ202は、下位エンティティが利用するための新しいMCSを割り当てる制御情報を下位エンティティ204に送信することができ、新しいMCSは、下位エンティティ204によって報告された干渉の影響を低減または回避するように構成される。
【００９８】
当業者が容易に諒解するように、本開示全体にわたって記載された様々な態様は、任意の適切な電気通信システム、ネットワークアーキテクチャ、および通信規格に拡張することができる。例として、様々な態様は、W-CDMA、TD-SCDMA、およびTD-CDMAなどのUMTSシステムに適用することができる。様々な態様はまた、(FDD、TDD、または両方のモードの)ロングタームエボリューション(LTE)、(FDD、TDD、または両方のモードの)LTEアドバンスト(LTE-A)、CDMA2000、エボリューションデータオプティマイズド(EV-DO)、ウルトラモバイルブロードバンド(UMB)、IEEE 802.11(Wi-Fi)、IEEE 802.16(WiMAX)、IEEE 802.20、ウルトラワイドバンド(UWB)、Bluetooth(登録商標)、および/または、定義されていないワイドエリアネットワーク規格によって記述されるシステムを含む他の適切なシステムを使用するシステムに適用することができる。使用される実際の電気通信規格、ネットワークアーキテクチャ、および/または通信規格は、具体的な適用例およびシステムに課される全体的な設計制約に依存する。
【００９９】
本開示では、「例示的」という言葉は、「例、事例、または例示として働くこと」を意味するために使用される。「例示的」として本明細書に記載された任意の実装形態または様態は、必ずしも本開示の他の態様よりも好ましいか、または有利であると解釈されるべきではない。同様に、「態様」という用語は、本開示のすべての態様が、説明された特徴、利点、または動作モードを含むことを必要としない。「結合された」という用語は、本明細書では、2つの物体間の直接的または間接的な結合を指すために使用される。たとえば、物体Aが物体Bに物理的に接触し、物体Bが物体Cに接触する場合、物体Aと物体Cとは、互いに物理的に直接接触していない場合でも、それでも互いに結合されていると見なすことができる。たとえば、第1のダイがパッケージ内の第2のダイに物理的に直接接触していない場合でも、第1のダイは、第2のダイに結合されている可能性がある。「回路(circuit)」および「回路(circuitry)」という用語は広く使用され、接続され構成されると、電子回路のタイプを限定せずに本開示に記載された機能の性能を有効にする電気デバイスおよび導体のハードウェア実装形態、ならびにプロセッサによって実行されると、本開示に記載された機能の性能を有効にする情報および命令のソフトウェア実装形態の両方を含むものとする。
【０１００】
図1〜図13に示された構成要素、ステップ、特徴、および/または機能のうちの1つまたは複数は、単一の構成要素、ステップ、特徴、もしくは機能に再構成され、かつ/または組み合わされるか、あるいは、いくつかの構成要素、ステップ、または機能で具現化される場合がある。本明細書で開示された新規の特徴から逸脱することなく、さらなる要素、構成要素、ステップ、および/または機能が追加される場合もある。図1〜図13に示された装置、デバイス、および/または構成要素は、本明細書に記載された方法、特徴、またはステップのうちの1つまたは複数を実行するように構成される場合がある。本明細書に記載された新規のアルゴリズムは、効率的に、ソフトウェアに実装されるか、かつ/またはハードウェアに埋め込まれる場合もある。
【０１０１】
開示された方法におけるステップの具体的な順序または階層は、例示的なプロセスの説明であることを理解されたい。設計の選好に基づいて、方法におけるステップの具体的な順序または階層は、再構成され得ることを理解されたい。添付の方法クレームは、様々なステップの要素を例示的な順序で提示したものであり、そのクレーム内で具体的に列挙されない限り、提示された具体的な順序または階層に限定されるものではない。
【０１０２】
上記の説明は、本明細書に記載された様々な態様を任意の当業者が実践することを有効にするために提供される。これらの態様に対する様々な修正形態は、当業者に容易に明らかになり、本明細書において定義された一般原理は、他の態様に適用される場合がある。したがって、特許請求の範囲は本明細書に示された態様に限定されるものではなく、特許請求の範囲の文言と整合するすべての範囲を与えられるものであり、単数形の要素への言及は、「唯一の」と明記されていない限り、「唯一の」ではなく、「1つまたは複数の」を意味するものである。別段に明記されていない限り、「いくつか(some)」という用語は、1つまたは複数を指す。項目のリスト「のうちの少なくとも1つ」に言及する句は、単一のメンバーを含むそれらの項目の任意の組合せを指す。一例として、「a、b、またはcのうちの少なくとも1つ」は、a、b、c、aおよびb、aおよびc、bおよびc、ならびにa、b、およびcを含むものとする。当業者に知られているか、または後で当業者に知られることになる、本開示全体にわたって記載された様々な態様の要素のすべての構造的および機能的な均等物は、参照により本明細書に明確に組み込まれ、特許請求の範囲によって包含されるものとする。その上、本明細書で開示されるものは、そのような開示が特許請求の範囲において明示的に列挙されているかどうかにかかわらず、公に供されるものではない。請求項のいかなる要素も、「のための手段」という句を使用して要素が明示的に列挙されていない限り、または方法クレームの場合、「のためのステップ」という句を使用して要素が列挙されていない限り、米国特許法第112条(f)項の規定の下で解釈されるべきではない。
【符号の説明】
【０１０３】
102  エンドツーエンドレイテンシ
104  アプリケーションの処理
106  エアインターフェース遅延
108  バックホール伝搬遅延
110  クラウド伝搬遅延
112  バックホール伝搬遅延
114  エアインターフェース遅延
116  アプリケーションの処理
202  スケジューリングエンティティ
204  下位エンティティ
206  ダウンリンクデータ
208  薄型軽量制御チャネル
210  アップリンクデータ
212  薄型軽量制御チャネル
214  薄型軽量フィードバックチャネル
302  バス
304  プロセッサ
305  メモリ
306  コンピュータ可読媒体
308  バスインターフェース
310  トランシーバ
312  ユーザインターフェース
314  処理システム
341  リソース割当ておよびTTI制御回路
342  データおよび制御チャネル生成および送信回路
343  薄型軽量フィードバック受信および処理回路
344  データチャネル受信および処理回路
345  干渉検出回路
346  干渉メトリック/チャネル品質インジケータ決定および送信回路
347  変調およびコーディング構成回路
351  リソース割当ておよびTTI制御ソフトウェア
352  データおよび制御チャネル生成および送信ソフトウェア
353  薄型軽量フィードバック受信および処理ソフトウェア
354  データチャネル受信および処理ソフトウェア
355  干渉検出ソフトウェア
356  干渉メトリック/チャネル品質インジケータ決定および送信ソフトウェア
357  変調およびコーディング構成ソフトウェア
402  バス
404  プロセッサ
405  メモリ
406  コンピュータ可読媒体
408  バスインターフェース
410  トランシーバ
412  ユーザインターフェース
414  処理システム
442  データおよびフィードバックチャネル生成および送信回路
444  データおよび制御チャネル受信および処理回路
446  干渉メトリック/CQI決定および送信回路
452  データおよびフィードバックチャネル生成および送信ソフトウェア
454  データおよび制御チャネル受信および処理ソフトウェア
456  干渉メトリック/CQI決定および送信ソフトウェア
502  通常ユーザ
504  LoLatユーザ
506  薄型軽量制御チャネル
508  制御情報
702  第1のリソース割当て
704  通常ダウンリンクデータ
706  破線ボックス
708  第2のリソース割当て
710  LoLatダウンリンクデータ
800  プロセス
802  ブロック
804  ブロック
806  ブロック
808  ブロック
810  ブロック
902  通常ユーザ
904  LoLatユーザ
906  薄型軽量制御チャネル
907  薄型軽量フィードバックチャネル
908  アップリンク認可修正
909  LoLatスケジューリング要求
1102  第1のリソース割当て
1104  通常アップリンクデータ
1106  第2のリソース割当て
1108  LoLatアップリンクデータ
1200  プロセス
1202  ブロック
1204  ブロック
1206  ブロック
1208  ブロック
1210  ブロック
1212  ブロック
1214  ブロック
1216  ブロック
1218  ブロック
1300  プロセス
1302  ブロック
1304  ブロック
1306  ブロック
【図１】
0006452726.tif 000002
【図２】
0006452726.tif 000003
【図３】
0006452726.tif 000004
【図４】
0006452726.tif 000005
【図５】
0006452726.tif 000006
【図６】
0006452726.tif 000007
【図７】
0006452726.tif 000008
【図８】
0006452726.tif 000009
【図９】
0006452726.tif 000010
【図１０】
0006452726.tif 000011
【図１１】
0006452726.tif 000012
【図１２】
0006452726.tif 000013
【図１３】
0006452726.tif 000014